(57)【特許請求の範囲】
【請求項１】
発光素子を有する第一光源部と、発光素子を有する第二光源部と、を備える照明器具であって、
開口部と、前記開口部から続く反射面と、を有する反射部を有し、
前記反射部は、前記第一光源部の光を出射する第一出射口と、前記第二光源部の光を出射する第二出射口と、を有し、
前記第一光源部と第二光源部は、前記第一光源部の光軸と前記第二光源部の光軸が直角若しくは鋭角を成すように配置され、
前記第一光源部と前記第二光源部からの光は前記開口部から出射される、照明器具。
【請求項２】
前記第一出射口は、その中心が前記反射部の中心からオフセット配置される請求項１に記載の照明器具。
【請求項３】
前記第二光源部は、前記第二出射口を覆う拡散パネルと、前記発光素子と前記拡散パネルとの間に配置されるパネルホルダと、を有し、
前記パネルホルダは、前記光軸に沿って広がる反射面を有し、
前記第一光源部側の前記反射面は、出射側の前記反射面よりも前記第二光源部の光軸に対する傾きは小さくなるように形成される請求項１又は２に記載の照明器具。
【請求項４】
前記第一光源部及び前記第二光源部の点灯状態を制御する制御手段を備える請求項１から３の何れか一項に記載の照明器具。
【発明の詳細な説明】
【技術分野】
【０００１】
本発明は、照明器具に関する。
【背景技術】
【０００２】
従来、光源からの光の照射方向を下面方向と壁面方向とに変更可能な埋込型照明器具が知られている（例えば、特許文献１参照）。
【０００３】
特許文献１には、ハウジング内の軸方向に揺振可能な揺振アームの先端にランプホルダを備えており、揺振アームを動かすことによって、照射方向を変更可能な埋込型照明器具が開示されている。
【先行技術文献】
【特許文献】
【０００４】
【特許文献１】実開昭５６−１４４４２４号公報
【発明の概要】
【発明が解決しようとする課題】
【０００５】
しかしながら、特許文献１に開示された埋込型照明器具においては、揺振アームが揺振するスペースを必要とするため、埋込型照明器具の大型化を招いてしまう。
【０００６】
そこで、本発明は、上記課題に鑑みてなされたものであり、灯具本体を大型化させずに、下方と壁面方向等の二方向に照射可能な照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
発光素子を有する第一光源部と、発光素子を有する第二光源部と、を備える照明器具であって、
開口部と、前記開口部から続く反射面と、を有する反射部を有し、
前記反射部は、前記第一光源部の光を出射する第一出射口と、前記第二光源部の光を出射する第二出射口と、を有し、
前記第一光源部と第二光源部は、前記第一光源部の光軸と前記第二光源部の光軸が直角若しくは鋭角を成すように配置され、
前記第一光源部と前記第二光源部からの光は前記開口部から出射されるものである。
【０００９】
本願に開示する照明器具において、
前記第一出射口は、その中心が前記反射部の中心からオフセット配置されることが好ましい。
【００１０】
本願に開示する照明器具において、
前記第二光源部は、前記第二出射口を覆う拡散パネルと、前記発光素子と前記拡散パネルとの間に配置されるパネルホルダと、を有し、
前記パネルホルダは、前記光軸に沿って広がる反射面を有し、
前記第一光源部側の前記反射面は、出射側の前記反射面よりも前記第二光源部の光軸に対する傾きは小さくなるように形成されることが好ましい。
【００１１】
本願に開示する照明器具において、
前記第一光源部及び前記第二光源部の点灯状態を制御する制御手段を備え、
前記制御手段は、前記第一光源を点灯するモードと、前記第二光源を点灯するモードと、に切替制御することが好ましい。
【発明の効果】
【００１２】
本発明によれば、下方と壁面方向等の二方向に照射することができる。
【図面の簡単な説明】
【００１３】
【図１】本発明の一実施形態に係る埋込型照明器具を斜め下方から見た斜視図。
【図２】埋込型照明器具を斜め上方から見た斜視図。
【図３】灯具本体を示す平面図。
【図４】灯具本体を取付穴に取り付けた状態を示す図であり、図３のＡ−Ａ線断面図。
【図５】反射部を示す斜視図であり、（ａ）反射部を斜め下方から見た斜視図（ｂ）反射部を斜め上方から見た斜視図。
【図６】第一出射口と第二出射口との配置を示す反射部の底面図。
【図７】パネルホルダを示す斜視図であり、（ａ）パネルホルダの斜視図（ｂ）光軸から見たパネルホルダの側面図（ｃ）図７（ｂ）のＢ−Ｂ線断面図。
【図８】第二光源部のパネルホルダによる配光制御を説明する説明図。
【発明を実施するための形態】
【００１４】
本発明の実施形態に係る埋込型照明器具１００について、図１から図８を用いて説明する。埋込型照明器具１００は、本発明の照明器具の一実施形態である。埋込型照明器具１００は、図４に示すように取付面となる天井Ｃに形成された、例えば、丸型の取付穴Ｈに埋め込まれて設置されるダウンライトである。以下の説明では、埋込型照明器具１００の上下方向は、埋込型照明器具１００が天井Ｃに設置された状態における上下方向（図４における上下方向）として説明する。また、本実施形態の説明において、上方から埋込型照明器具１００等を視た状態を平面視とし、下方から埋込型照明器具１００等を視た状態を底面視とする。上下方向に対して直交方向から埋込型照明器具１００等を視た状態を側面視とする。埋込型照明器具１００等の断面形状を視た状態を断面視とする。
【００１５】
埋込型照明器具１００は、図１、図２に示すように、灯具本体１１と、電源部６１とを主に備える。灯具本体１１は、電源部６１と電線によって電気的に接続される。灯具本体１１は、電源部６１と電線によって電気的に接続される。保持部材により灯具本体１１と電源部６１とを連結し、電源部６１を灯具本体１１の側方に保持しても良い。
【００１６】
灯具本体１１は、第一光源部２１と、第二光源部３１と、反射部４１と、ヒートシンク５１と、を有している。
また、灯具本体１１において、光軸Ｌ１に沿う方向を第一光源部２１の光軸方向と定義し、軸方向と直交する方向を第一光源部２１の径方向と定義し、光軸Ｌ２に沿う方向を第二光源部３１の光軸方向と定義し、軸方向と直交する方向を第二光源部３１の径方向と定義する。
【００１７】
第一光源部２１は、埋込型照明器具１００の光軸Ｌ１に沿って光を出射する部分である。本実施形態では、第一光源部２１は、下面側を照射面として光を出射している。第一光源部２１は、図４に示すように、ヒートシンク５１の光源配置部５３内に設けられており、基板２２と、パネルホルダ２３と、拡散パネル２４と、を有している。
【００１８】
基板２２は、平板状に加工された基板面に、点光源である複数の発光素子を有するＬＥＤモジュールである。発光素子は、基板２２の中央部に配置される円形状発光面を有するＣＯＢタイプのＬＥＤである。発光素子は、パネルホルダ２３の開口部２６に対応するように配置される。基板２２は、ヒートシンク５１の有底部の内面に当接して配置され、ネジ等の取付部材によりヒートシンク５１に取り付けられる。基板２２は、電線（図示せず）によって電源部６１と電気的に接続されている。
なお、本実施形態では、光源として発光素子（ＣＯＢタイプのＬＥＤ）を用いたが、光源の種類は発光素子に限定されず、例えば表面実装タイプの発光素子や有機ＥＬ素子（ＯＬＥＤ）などであっても実現可能である。すなわち、発光素子は、本発明の第一光源の一例である。
また、基板２２は、熱伝導性シート（図示せず）や放熱グリスを介してヒートシンク５１に取り付けてもよく、これにより、より高い放熱性を得ることができる。
【００１９】
パネルホルダ２３は、発光素子を有する基板２２と拡散パネル２４との間に配置される。パネルホルダ２３は、拡散パネル２４と基板２２とを所定間隔で離間しつつ、拡散パネル２４をパネルホルダ２３の下端と反射部４１の上端との間に挟持する笠状部材である。パネルホルダ２３は、ヒートシンク５１内にネジ等の取付部材によって取り付けられる。パネルホルダ２３の第一光源部２１側（上端）は、中央部において円形状の開口部２６が形成される。開口部２６から延設される周壁部は光軸Ｌ１に沿って（下方に向かって）広がるように形成され、周壁部の内周面は、発光素子から発生する光を反射する反射面２７として形成される。つまり、パネルホルダ２３は光軸Ｌ１に沿って広がる反射面２７を有する。本実施形態では、パネルホルダ２３の反射面２７は、斜面状に形成される。パネルホルダ２３は、発光素子から発生する光のうち、光軸Ｌ１（図４における下方向）を基準として側方に向かう光を反射面２７で反射させ、光軸Ｌ１に向かうように配光制御する。すなわち、反射面２７により、発光素子の光軸Ｌ１以外の方向に出た光を反射させて、発光素子から発生する光を、照射面に効率よく集光している。
なお、本実施形態のパネルホルダ２３としては、反射面２７が下方にいくにしたがって広がる斜面状に形成したものを説明したが、反射面２７の形状はこれに限定されない。例えば、反射面２７の形状は、下方にいくにしたがって広がる放物面状に形成されるものであってもよい。
【００２０】
拡散パネル２４は、反射部４１の上方側の第一出射口４２を覆い、ヒートシンク５１内に配置された発光素子からの光を透過及び拡散させて、照射面を形成する部材である。拡散パネル２４は、透光性を有する樹脂素材やガラス素材等で形成される。拡散パネル２４は、図４に示すように、平面視形状が円形で下方に突出するドーム状に形成されている。拡散パネル２４は、下部の周縁部に径方向外側に突出するフランジ部２８を有する。フランジ部２８の下面と、反射部４１と、の間にはパッキン２９が挿入される。拡散パネル２４は、反射部４１の上端に位置決めされた状態で、反射部４１の上端とパネルホルダ２３の下端とで挟持され、発光素子に対向する位置で保持される。
なお、拡散パネル２４の形状は、図４等に示すような円形形状に限らず、四角形状の多角形でもよい。また、下方に突出するドーム状に限らず、上方に突出する形状や平面上等でもよい。
【００２１】
第二光源部３１は、第一光源部２１の光軸Ｌ１に対して所定の角度だけ傾斜した方向を光軸Ｌ２とし、該光軸Ｌ２に沿って光を出射する部分である。第二光源部３１は、光軸Ｌ１と光軸Ｌ２の成す角θ１が直角若しくは鋭角となるように配置される。本実施形態では、第二光源部３１は、壁面Ｗ上部側を照射面として光を出射している。第二光源部３１は、図４に示すように、ヒートシンク５１の光源配置部５４内に設けられており、基板３２と、パネルホルダ３３と、拡散パネル３４と、を有している。
【００２２】
基板３２は、平板状に加工された基板面に、点光源である複数の発光素子を有するＬＥＤモジュールである。発光素子は、基板３２の中央部に配置される円形状発光面を有するＣＯＢタイプのＬＥＤである。発光素子は、パネルホルダ３３の開口部３６に対応するように配置される。基板３２は、ヒートシンク５１の内側面に当接して配置され、ネジ等の取付部材によりヒートシンク５１に取り付けられる。基板３２は、電線によって電源部６１と電気的に接続されている。
なお、本実施形態では、光源として発光素子（ＣＯＢタイプのＬＥＤ）を用いたが、光源の種類は発光素子に限定されず、例えば表面実装タイプの発光素子や有機ＥＬ素子（ＯＬＥＤ）などであっても実現可能である。すなわち、発光素子は、本発明の第二光源の一例である。
また、基板３２は、熱伝導性シート（図示せず）や放熱グリスを介してヒートシンク５１に取り付けてもよく、これにより、より高い放熱性を得ることができる。
【００２３】
パネルホルダ３３は、発光素子を有する基板３２と拡散パネル３４との間に配置される。パネルホルダ３３は、拡散パネル３４と基板３２とを所定間隔で離間しつつ、拡散パネル３４をパネルホルダ３３の内端と反射部４１の外端との間に挟持する笠状部材である。パネルホルダ３３は、ヒートシンク５１内にネジ等の取付部材によって取り付けられる。パネルホルダ３３の第二光源部３１側には、中央部において円形状の開口部３６が形成される。開口部３６から延設される周壁部の内周面は光軸Ｌ２に沿って広がるように形成され、発光素子から発生される光を反射する反射面３７として形成される。つまり、パネルホルダ３３は光軸Ｌ２に沿って広がる反射面３７を有する。本実施形態では、パネルホルダ３３の反射面３７は、傾斜状に形成される。パネルホルダ３３は、発光素子から発生する光のうち、光軸Ｌ２（壁面方向）を基準として、光軸Ｌ２から外れた方向に向かう光を反射面３７で反射させ、光軸Ｌ２に向かうように配光制御する。すなわち、反射面３７により、発光素子の光軸Ｌ２以外の方向に出た光を反射させることで、発光素子から発生する光を、照射面に効率よく集光している。
なお、本実施形態の反射面３７は、光軸Ｌ２に沿って広がる傾斜状に形成したものを説明したが、反射面３７の形状はこれに限定されない。例えば、反射面３７の形状として、光軸Ｌ２に沿って広がる放物面状に形成されるものであってもよい。
【００２４】
図７、図８に示すように、パネルホルダ３３の反射面３７のうち、第一光源部２１側の反射面３７ａは、出射側の反射面３７ｂよりも第二光源部３１の光軸Ｌ２に対する傾きは小さくなるように形成される。パネルホルダ３３の反射面３７のうち、第一光源部２１側とは、光軸Ｌ２よりも第一光源部２１側（上側）を指し、出射側とは、光軸Ｌ２よりも照射面側（下側）を指す。第一光源部２１側の反射面３７ａの光軸Ｌ２に対する傾きθ２が出射側の反射面３７ｂの光軸Ｌ２側に対する傾きθ３よりも小さく形成されることで、第二光源部３１から発生する光のうち、第一光源部２１側の反射面３７ａに照射される光は、より下方に向けて反射することができる。
また、本実施形態の反射面３７は、出射側の反射面３７ｂが平坦に形成されている。このように形成することによって、第二光源部３１から発生した光を幅広に広げるようなライン状の光を壁面Ｗ側に照射する。
なお、反射面３７が光軸Ｌ２に沿って広がる放物面状に形成される場合は、反射面３７のうち、第一光源部２１側の反射面３７ａの曲率が出射側の反射面３７ｂの曲率よりも大きくなるように構成することで、第二光源部３１から発生する光のうち、第一光源部２１側の反射面３７ａに照射される光は、より下方に向けて反射することができる。
【００２５】
拡散パネル３４は、反射部４１の第二出射口４３を覆い、ヒートシンク５１内に配置された発光素子からの光を透過及び拡散させて、照射面を形成する部材である。拡散パネル３４は、透光性を有する樹脂素材やガラス素材等で形成される。拡散パネル３４は、第二出射口４３を覆うように略矩形状に形成されている。拡散パネル３４は、径方向外側に突出するフランジ部３８を有する。フランジ部３８と、反射部４１と、の間にはパッキン３９が挿入される。拡散パネル３４は、反射部４１に位置決めされた状態で、反射部４１の外端とパネルホルダ３３の内端とて挟持され、発光素子に対向する位置で保持される。
なお、拡散パネル３４の形状は、略矩形状に限らず、第二出射口４３を覆うことができる略弓形状や、多角形状でもよい。また、平板状に限らず、照射方向側に突出するドーム状や発光素子側に突出する形状等でもよい。
【００２６】
反射部４１は、光源部からの光を反射する光源用リフレクターである。第一光源部２１及び第二光源部３１からの光は、反射部４１に形成される開口部４８を通って照射面に出射される。開口部４８は、反射部４１の照射側（図４における下側）に形成される。反射部４１は、開口部４８から続く反射面４７を有している。反射面４７は、開口部４８の縁部と連続する内周面に、光源部からの光を反射する反射面４７を有している。本実施形態では、反射部４１は、第一光源部２１の光軸Ｌ１に沿って広がる反射面４７を有する。反射面４７は、光軸Ｌ１に沿って広がる放物面状に形成される。反射部４１は、図４及び図５に示すように、第一出射口４２と、第二出射口４３と、フランジ部４６と、を有している。
【００２７】
第一出射口４２は、第一光源部２１の発光素子から発生する光を通過させるものである。第一出射口４２は、第一光源部２１に対向して配置される。第一出射口４２は、反射部４１の第一光源部２１側に略円形状に形成される。第二出射口４３は、第二光源部３１の発光素子から発生する光を通過させるものである。第二出射口４３は、第二光源部３１に対向して配置される。
本実施形態の第二出射口４３は、第二光源部３１の光軸Ｌ２と直交し、第一出射口４２と重ならない、仮想面Ｉ上に配置される。仮想面Ｉは、光軸Ｌ２と直交するため、第二光源部と対向するように構成される。また、仮想面Ｉは、第一出射口４２と重ならないように規定されるため、平面視において、第一出射口４２と第二出射口４３とが重なることがない。そのため、第二出射口４３は、第一出射口４２から出射される光の障害となることがないように配置することができる。仮想面Ｉ上に形成される第二出射口４３は、反射部４１の拡径側（下側）の内周縁から径方向内側に突出する底板４１ａを底部として略弓形状に形成される。
なお、反射部４１や第一出射口４２の平面視形状は、図５等に示すような円形形状に限らず、四角形状等の多角形状でもよく、種々の取付穴の開口形状に取付可能な形状であってもよい。また、第二出射口４３の光軸Ｌ２からみた形状は、略弓形状に限らず、四角形状等の多角形状でもよく、種々の取付穴の開口形状に取付可能な形状であってもよい。
【００２８】
図６に示すように、第一出射口４２は、第一出射口４２の中心Ｏ２が反射部４１の中心Ｏ１からオフセットされた位置に配置される。本実施形態の第一出射口４２では、その中心Ｏ２が第二出射口４３と対向する反射面４７側にずれた位置に配置されている。第一出射口４２は、反射部４１の中心Ｏ１（拡径（下端）側の外周縁部の中心）に対して所定間隔だけずらして配置される。第二出射口４３と対向する反射面４７側とは、図４に示す反射部４１の壁面Ｗ側を指す。
【００２９】
第一出射口４２の周縁には、拡散パネル２４のフランジ部２８の下面側にパッキン２９が挿入される凹部４４が形成される。拡散パネル２４は、凹部４４にパッキン２９を挿入した状態において、反射部４１及びヒートシンク５１をネジ等の取付部材により取り付けることで反射部４１の上端に位置決めされる。第二出射口４３の周縁は、フランジ部３８の照射面側にパッキン３９を介して覆われる。拡散パネル３４は、パッキン３９を挿入した状態において、反射部４１及びヒートシンク５１をネジ等の取付部材により取り付けることで反射部４１に位置決めされる。
【００３０】
フランジ部４６は、下部の外周縁から径方向外側に突出して環状に形成される鍔部である。フランジ部４６は、埋込型照明器具１００を天井Ｃの取付穴Ｈに設置した状態で取付穴Ｈの周縁部を覆う部分である。フランジ部４６の上面には、反射部４１を取付穴Ｈに取り付けた際に、反射部４１と取付穴Ｈの周縁部との隙間を塞ぐための平面視環状の枠パッキン５０が設けられている。フランジ部４６は、天井Ｃの下面側に枠パッキン５０を介して取付穴Ｈの周縁部を覆う。
【００３１】
ヒートシンク５１は、熱伝導率の高いアルミニウム等の金属素材からなる放熱部材である。ヒートシンク５１は、光源配置部５３・５４と、取付バネ７１を取り付けるバネ取付部５５と、を備える。
【００３２】
ヒートシンク５１は、有底略円筒状に形成される。ヒートシンク５１の一端（第二光源部３１側）には、反射部４１の凹部４５と係止可能な係止部５２が設けられる。凹部４５に係止部５２が係止された状態で、ヒートシンク５１はネジ等の取付部材によって反射部４１に取り付けられる。ヒートシンク５１の有底部の内面には、凹状で第一光源部２１を配置するための光源配置部５３が形成されている。ヒートシンク５１の係止部５２の内側面には、第二光源部３１を配置するための光源配置部５４が形成されている。
【００３３】
バネ取付部５５は、取付バネ７１をヒートシンク５１に取り付ける部分である。バネ取付部５５は、ヒートシンク５１の周縁に略均等配置されるように複数個（本実施形態では、２個）設けられている。バネ取付部５５は、取付バネ７１を当接してネジで取り付けるためのものである。
【００３４】
取付バネ７１は、灯具本体１１を天井Ｃの取付穴Ｈに埋め込んで取り付けるための固定手段である。取付バネ７１は、図３に示すように、ヒートシンク５１の周縁に略均等配置されたバネ取付部５５に配設される。取付バネ７１は、ステンレス素材等の板状金属部材の中途部を複数箇所屈曲及び湾曲させて形成された板バネである。取付バネ７１は、略Ｖ字状に形成された板バネであり、基端部がヒートシンク５１のバネ取付部５５に当接してネジにより固定されるとともに、自由端部が灯具本体１１側方に延出されるものである。灯具本体１１を天井Ｃの取付穴Ｈに設置した場合、取付バネ７１は、取付バネ７１が広がろうとする弾性力によって取付穴Ｈの周縁を押圧することでフランジ部４６との間で天井Ｃを挟持し、灯具本体１１を天井Ｃに固定する。
なお、取付バネの形状、取付位置、本数等については、本実施形態のものに限定されない。
【００３５】
電源部６１は、光源部が有する発光素子（第一光源部２１の発光素子、第二光源部３１の発光素子）に給電を行って、発光素子を点灯させるための電源装置である。電源部６１は、箱状の電源ケース内に直方形状に加工されたプリント配線板上に複数の電子部品が実装された電源回路が収容されたものである。電源部６１は、外部商用電源から供給される交流電流を所定の直流電流に変換し、変換後の電流を基板２２の発光素子又は基板３２の発光素子に供給するためのものである。電源部６１は、配線を介して端子台６２に電気的に接続されている。端子台６３は、電源部６１の一側面に配置されている。埋込型照明器具１００を天井Ｃに取り付ける際、配線により端子台６３と天井裏側の外部商用電源とを接続することで、電源部６１は外部商用電源と電気的に接続される。電源部６１は、基板２２及び基板３２にそれぞれ配線によって電気的に接続されている。埋込型照明器具１００は、第一光源部２１及び第二光源部３１の点灯状態を制御する制御手段（図示しない）を備える。制御手段によって、第一光源部２１のみを点灯させたり、第二光源部３１のみを点灯させたり、第一光源部２１及び第二光源部３１を点灯させたりすることができる。
【００３６】
以上のように、第一光源部２１と第二光源部３１は、第一光源部２１の光軸Ｌ１と第二光源部３１の光軸Ｌ２が直角若しくは鋭角を成すように配置される。これにより、第一光源部２１の照射面とは別に第二光源部３１の照射面を形成することができ、二方向に光を照射できる照明器具を実現することができる。本実施形態では、第一光源部２１が照射する下面方向と、第二光源部３１が照射する壁面方向と、に光を照射できる。また、本実施形態の埋込型照明器具１００は、照射方向の異なる第一光源部２１と第二光源部３１を有する。これにより、照射方向を変更するために、光源部の位置を物理的に調整するスペースを設ける必要がないため、照明器具の大型化を防ぐ。
また、第一光源部２１を下面方向に出射するように配置した場合に、光軸Ｌ１と光軸Ｌ２が直角よりも大きい角度を成すように第二光源部３１を配置すると照明器具の高さ方向の寸法の増大化を招く。本実施形態の埋込型照明器具１００の場合、第二光源部３１の高さ方向の配置位置は、第一光源部２１を頂点として、それよりも下方から反射部４１の開口部４８までの間の高さ位置に配置される。光軸Ｌ１と光軸Ｌ２が直角若しくは鋭角を成すように第一光源部２１と第二光源部３１を配置することで、照明器具、特に灯具本体１１の高さ寸法の増大化を防ぐ。また、光軸Ｌ１と光軸Ｌ２が鈍角となるように配置されると、第二光源部３１から出射された光の一部は、反射部４１の部分によって反射されて効率的に壁面を照射できない可能性がある。本実施形態の埋込型照明器具１００は、第二光源部３１から出射される光が反射部４１によって遮られにくく、効率的に壁面へと照射される。
【００３７】
また、第一光源部２１と第二光源部３１から出射された光は、それぞれ反射部４１内の第一出射口４２と第二出射口４３から開口部４８を通って外部へ出射される。これにより、一つの反射部４１を用いて、第一光源部２１及び第二光源部３１から発生する各々の光を、出射口を介して二方向に容易に照射することができる。個別に反射部を配置することなく、二方向に照射できるため、外観としても見苦しくなく、天井面に無理なく設置できる。また、第一光源部２１と第二光源部３１にそれぞれ個別に反射部を設けないため、照明器具が大型化しないとともに、部品点数を少なくすることができる。また、第一光源部２１及び第二光源部３１が発光素子から構成されることで、灯具本体１１を構成する部材を小型化することができる。
【００３８】
第一出射口４２の中心Ｏ２は、反射部４１の中心Ｏ１からオフセット配置される。これにより、照明器具、特に灯具本体１１を大型化させずに第一光源部２１及び第二光源部３１を無理なく収容することができる。そのため、灯具本体１１の大きさを略変えることなく、二方向に照射することができる。また、第一光源部２１及び第二光源部３１を一の灯具本体１１に収容することができ、個別に収容する必要がなく、部品点数を少なくすることができる。
【００３９】
第二光源部３１のパネルホルダ３３は、前記光軸Ｌ２に沿って広がる反射面３７を有し、第一光源部２１側の反射面３７ａは、出射側の反射面３７ｂよりも光軸Ｌ２に対する傾きは小さくなるように形成される。これにより、第二光源部３１から発生する光のうち、第一光源部２１側の反射面３７ａに照射される光は、より下方に向けて反射することができる。そのため、第一光源部２１側の反射面３７に照射される光が反射部４１にあたって予期せぬ方向に照射されることを防ぐことができ、壁面Ｗ側に集光することができる。
【００４０】
特許文献１の照明器具では、照射方向を変更するために揺振アームを動かさねばならない。そのため、照明器具が天井面などの高所に取り付けられた状態では、照射方向を変更しにくいものであった。本実施形態の埋込型照明器具１００は、第一光源部２１及び第二光源部３１の点灯状態を制御する制御手段を備えることで、第一光源部２１のみを点灯させたり、第二光源部３１のみを点灯させたりすることができ、容易に照射方向を変更することができる。
【００４１】
なお、本発明の照明器具は、本実施形態の埋込型照明器具１００に限定するものではない。例えば、直付型照明器具として構成することもできる。
また、本実施形態のように、円形状の反射部ではなく、角形状や多角形状に形成することもできる。
【符号の説明】
【００４２】
１１  灯具本体
２１  第一光源部
３１  第二光源部
３３  パネルホルダ
３７  パネルホルダの反射面
３７ａ  第一光源部側の反射面
３７ｂ  開口部側の反射面
４１  反射部
４２  第一出射口
４３  第二出射口
４７  反射面
４８  開口部
１００  埋込型照明器具（照明器具）
Ｉ  仮想面
Ｌ１  光軸
Ｌ２  光軸
Ｏ１  反射部の中心
Ｏ２  第一出射口の中心
θ１  光軸Ｌ１と光軸Ｌ２の成す角
θ２  反射面３７ａの光軸Ｌ２に対する傾き
θ３  反射面３７ｂの光軸Ｌ２に対する傾き
【図１】
0006620642.tif 000002
【図２】
0006620642.tif 000003
【図３】
0006620642.tif 000004
【図４】
0006620642.tif 000005
【図５】
0006620642.tif 000006
【図６】
0006620642.tif 000007
【図７】
0006620642.tif 000008
【図８】
0006620642.tif 000009